【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
第１のデータソースに関連する第１のデータセットであって、複数の異なる第１のデータ要素を含む第１のデータセットから、前記第１のデータソースに関連する第１のユニークキーを決定し、
第２のデータソースに関連する第２のデータセットであって、複数の異なる第２のデータ要素を含む第２のデータセットから、前記第２のデータソースに関連する第２のユニークキーを決定し、前記第１のデータセットおよび第２のデータセットは少なくとも１つの共通データ要素を共有しており、かつ前記第１のデータ要素のうちの少なくとも一部が前記第２のデータ要素とは異なっており、
前記キーに基づいて、前記第１のデータソースおよび第２のデータソースを確認し、
各データソースが前記データのソースとして確認された場合、前記第１のデータセットおよび第２のデータセットを集約データセットに結合し、
第３のデータソースに関連する第３のデータセットであって、複数の異なる第３のデータ要素を含む第３のデータセットから、前記第３のデータソースに関連付けられた第３のユニークキーを決定し、前記第１のデータセットおよび第２のデータセットおよび第３のデータセットが少なくとも１つの共通データ要素を共有し、かつ前記第１のデータ要素のうちの少なくとも一部が前記第３のデータ要素とは異なり、
前記第３のキーに基づいて前記第３のデータソースを確認し、
前記第３のデータソースが前記第３のデータのソースとして確認された場合、前記集約データセットと前記第３のデータセットとを結合し、
各データソースが、前記第１のデータセット、前記第２のデータセットおよび前記第３のデータセットのそれぞれに関連する１つまたは複数のデータ要素を更新する資格があるかどうかを決定し、
２つ以上のデータソースが、２つ以上のデータセットに共通の１つ以上の同じデータ要素を更新する資格があると決定した場合、どの更新が最新であるかに基づいて、または、各データ要素に関連付けられた重み付けに基づいて、データソースからの更新間の調停を行い、ここで、重み付けは前記データソースに依存する
ように構成された処理手段を含む、データ処理システム。
【請求項２】
前記第１のデータソースから前記第１のデータセットを受信するように構成された受信手段、および／または前記第２のデータソースから前記第２のデータセットを受信するように構成された受信手段、および／または前記第３のデータソースから前記第３のデータセットを受信するように構成された受信手段を更に備える、請求項１に記載のシステム。
【請求項３】
各データ要素がキー／値ペアを含む、請求項１または２に記載のシステム。
【請求項４】
前記第１のデータセットおよび前記第２のデータセットが、同一のデータ要素を含むか否かを判定するステップを更に含む、請求項１に記載のシステム。
【請求項５】
前記第１のデータセットおよび第２のデータセットが同一の共通要素を含むと判定された場合、前記第１データセットに関連するデータソースおよび前記第２のデータセットに関連するデータソースに基づいて、前記共通要素に関連付けられた値に重み付けする、請求項１に記載のシステム。
【請求項６】
第１の頻度にて更新された第１のデータセットを受信するステップと、第２の頻度にて更新された第２のデータセットを受信するステップとを更に含む、請求項１〜５のいずれか一項に記載のシステム。
【請求項７】
前記第２の頻度が前記第１の頻度よりも高い、請求項６に記載のシステム。
【請求項８】
前記第１のデータソースは旅行の出発地に関連付けられており、前記第２のデータソースは旅行の目的地に関連付けられている、請求項１〜７のいずれか一項に記載のシステム。
【請求項９】
前記データは、出発地と目的地との間の旅行またはフライトに関連付けられ、
前記第１のステータスデータおよび第２のステータスデータおよび第３のステータスデ
ータのうち任意の１つ以上は、出発空港、出発ゲート、到着空港、到着ゲート、航空会社
に関連付けられたフライトスケジュール情報に関連するステータス情報の異なる側面を定
義するデータを含んでおり、前記データはＸＭＬまたはＪＳＯＮデータ形式等の英数字デ
ータ形式に従ってフォーマットされ、
前記データまたはステータスデータは、
出発および／または到着予定時刻、
予測されるおよび実際の出発／到着時刻、
空港に関連する出発ゲートおよび／またはターミナル、
前記またはある空港に関連する到着ゲートおよび／またはターミナル、
到着空港に関連付けられた手荷物受け取りターンテーブル番号、
フライトをｄｅｌａｙｅｄまたはｇｏ  ｔｏ  ｇａｔｅまたはｂｏａｒｄｉｎｇまたはｃｌｏｓｉｎｇとして定義する特定のデータにおけるフライトステータス情報、並びに
航空機タイプおよびテールナンバーを定義する任意の１つ以上の構文要素を含み、
前記更なるキーは、出発予定日、出発空港、運航航空会社、および運航便を定義するデ
ータのうちの任意の１つ以上に基づく前記またはある旅行に対するユニークキーであり、
出発スケジュール、到着スケジュール、運航日付、運航航空会社、便名、出発空港および到着空港を定義するデータのうちの任意の１つ以上を含むフライトレコードを生成するように構成されており、前記またはあるデータベースが前記フライトのユニークキーに一致するデータを含まず、前記データベース内の前記フライトレコードに前記集約データを格納する場合にのみフライトレコードを作成し、
前記集約データを空港のディスプレイに送信するように更に構成されており、前記表示されたステータス情報は、フライトが遅延、搭乗中、または閉鎖中であるか否か、または前記フライトに関連する乗客が所定のゲート番号に行くべきか否かを規定するデータのうちの任意の１つ以上を含む、特定の英数字テキストでフライトのステータスを定義するデータを含む、請求項１から８のいずれか一項に記載のデータ処理システム。
【請求項１０】
データ処理の方法であって、
第１のデータソースに関連付けられた第１のデータセットであって、複数の異なる第１のデータ要素を含む第１のデータセットから、前記第１のデータソースに関連付けられた第１のユニークキーを決定するステップと、
第２のデータソースに関連付けられた第２のデータセットであって、複数の異なる第２のデータ要素を含む第２のデータセットから、前記第２のデータソースに関連付けられた第２のユニークキーを決定するステップであって、前記第１データセットおよび第２データセットは少なくとも１つの共通データ要素を共有しており、前記第１のデータ要素のうちの少なくとも一部が前記第２のデータ要素と異なる、ステップと、
前記キーに基づいて、前記第１のデータソースおよび第２のデータソースを確認するステップと、
各データソースが前記データのソースとして確認された場合、前記第１データセットと第２データセットとを集約データセットに結合するステップと、
第３のデータソースに関連付けられた第３のデータセットであって、複数の異なる第３のデータ要素を含む第３のデータセットから、前記第３のデータソースに関連付けられた第３のユニークキーを決定するステップであって、前記第１のデータセットおよび第２のデータセットおよび第３のデータセットが、少なくとも１つの共通データ要素を共有しており、前記第１のデータ要素のうちの少なくとも一部が前記第３のデータ要素とは異なる、ステップと、
前記第３のキーに基づいて、前記第３のデータソースを確認するステップと、
前記第３のデータソースが前記第３のデータのソースとして確認された場合、前記集約データセットと前記第３のデータセットとを結合するステップと、
各データソースが、前記第１のデータセット、前記第２のデータセットおよび前記第３のデータセットのそれぞれに関連する１つまたは複数のデータ要素を更新する資格があるかどうかを決定するステップと、
２つ以上のデータソースが、２つ以上のデータセットに共通の１つ以上の同じデータ要素を更新する資格があると決定した場合、どの更新が最新であるかに基づいて、または、各データ要素に関連付けられた重み付けに基づいて、データソースからの更新間の調停を行い、ここで、重み付けは前記データソースに依存するステップと、を含む、方法。
【請求項１１】
前記第１のデータソースから前記第１のデータセットを受信するステップ、および／または前記第２のデータソースから前記第２のデータセットを受信するステップ、および／または前記第３のデータソースから前記第３のデータセットを受信するステップを更に含む、請求項１０に記載のシステムの方法。
【請求項１２】
各データ要素がキー／値ペアを含む、請求項１０または１１に記載の方法。
【請求項１３】
前記第１のデータセットおよび第２のデータセットが同一の共通要素を含むと判定された場合、前記第１のデータセットに関連するデータソースおよび前記第２のデータセットに関連するデータソースに基づいて、前記共通要素に関連付けられた値に重み付けする、請求項１０に記載の方法。
【請求項１４】
第１の頻度にて更新された第１のデータセットを受信するステップと、第２の頻度にて更新された第２のデータセットを受信するステップとを更に含み、
前記第２の頻度が前記第１の頻度よりも高く、
前記第１のデータソースは旅行の出発地に関連付けられており、前記第２のデータソースは旅行の目的地に関連付けられている、請求項１０〜１３のいずれか一項に記載の方法。
【請求項１５】
実行されると、請求項１０〜１４のいずれか一項に記載の方法を実行する、コンピュータプログラム製品。